(57)【要約】【課題】コストの上昇を抑えながら、原稿載置面の適正な位置に、暗い環境であっても高い精度で原稿を位置合わせすることのできる画像読取装置を実現する。【解決手段】原稿載置部に原稿を載置するための位置決め部材１０には、透光性を有する目印部１１が設けられている。原稿載置部７に載置された原稿を読み取る画像読取手段４は、原稿に対して光を発光する発光部を有するとともに、位置決め部材１０の裏面１０ｂにも移動可能に設けられている。従って、画像読取手段４が、目印部１１の裏面１０ｂ側に位置して発光すると、その光が目印部１１を通して表面１０ｃ側に向けて透過し、目印部１１が光って見えるため、周囲が明るくても暗くても、目印部１１に従って、原稿を正しくセットすることができる。【選択図】図３
2008158431.tif 000002
【特許請求の範囲】
【請求項１】
原稿を載置可能な原稿載置部を有する原稿載置台と、前記原稿載置部の表面に載置する原稿を位置決めするための位置決め部材と、前記原稿載置部に載置された原稿を読み取る画像読取手段とを備えた画像読取装置であって、
前記位置決め部材は、前記原稿載置部に隣接配置された板状部材であり、前記位置決め部材には、原稿の配置位置を案内する目印部が透光性を有するように設けられ、
前記画像読取手段は、原稿に対して光を発光する発光部を有するとともに、前記原稿載置部の裏面及び前記位置決め部材の裏面に沿って移動可能に設けられ、
前記画像読取手段が前記目印部の裏面側に位置して発光すると、その光が前記目印部を通して前記位置決め部材の表面側に向けて透過することを特徴とする画像読取装置。
【請求項２】
前記原稿載置部の表面を覆うカバー体が開閉可能に設けられ、
前記カバー体の開閉を検出する開閉検出手段と、
前記画像読取手段の移動及び発光を制御する制御手段と、が備えられ、
前記開閉検出手段が、前記カバー体の開放を検出すると、前記制御手段が、前記画像読取手段を前記目印部の裏面側に移動させて目印部用に発光させることを特徴とする請求項１に記載の画像読取装置。
【請求項３】
前記開閉検出手段が、前記カバー体の閉塞を検出すると、前記制御手段が、前記目印部の裏面側の位置における前記画像読取手段の目印部用の発光を停止させることを特徴とする請求項２に記載の画像読取装置。
【請求項４】
前記原稿載置部は平面視矩形状に形成され、
前記画像読取手段は、前記原稿載置部の辺のうちの第１の辺に平行で且つ当該第１の辺と実質上同じ長さを有し、且つ前記第１の辺に直交する方向に移動するように設けられ、
前記位置決め部材は前記原稿載置部の少なくとも第１の辺の全長に沿うように長く形成され、
前記目印部は、前記位置決め部材の長手方向に沿って複数設けられていることを特徴とする請求項１から３のいずれかに記載の画像読取装置。
【請求項５】
前記目印部用の発光は、色の変更あるいは点滅が設定可能に設けられていることを特徴とする請求項４に記載の画像読取装置。
【請求項６】
前記目印部は、前記位置決め部材の表裏面を貫通するように形成されていることを特徴とする請求項１から５のいずれかに記載の画像読取装置。
【請求項７】
前記目印部は、前記位置決め部材の表裏面を貫通するように形成された貫通部に、透光性の部材を埋設して形成されていることを特徴とする請求項１から５のいずれかに記載の画像読取装置。
【請求項８】
前記目印部は、前記位置決め部材の板厚を薄肉化して形成されていることを特徴とする請求項１から５のいずれかに記載の画像読取装置。
【発明の詳細な説明】
【技術分野】
【０００１】
本発明は、原稿載置台に載置された原稿を読み取る、所謂フラットベッドタイプの原稿読取装置に関するものである。
【背景技術】
【０００２】
従来から、原稿載置台に固定されたガラス板上に、原稿をその記録面が下になるように載置して、前記ガラス板の下方に配置された画像読取手段（イメージスキャナ装置）を走査することで、原稿を読み取る、いわゆるフラットベッドタイプの画像読取装置が知られている。
【０００３】
このような画像読取装置では、原稿のサイズを正しく認識して読み取るために、ガラス板（イメージスキャナ装置）に対して適正な位置に原稿を置く必要がある。従って、前記ガラス板の周囲には、原稿の位置を案内するための位置決め部材が配置されている。一般的には、位置決め部材を、ガラス板よりも僅かに上方に突出して設け、原稿の側辺を位置決め部材に付き当てて位置決めを行うようにしている。
【０００４】
位置決めの操作性を向上させるために、例えば、特許文献１では、位置決め部材の表面に、原稿の載置すべき位置を案内するための目印部を印刷あるいは刻印しているうえに、ガラス板にも載置位置を案内する目印部を形成している。目印部はサイズの異なる原稿に応じて複数種類設けられており、原稿のサイズが異なっても使用者が正しく位置合わせできるようにしている。
【０００５】
しかしながら、特許文献１のような目印部の場合には、使用者が原稿を原稿載置面に載置するときに、必ずしも、十分に明るい環境で行うとは限らず、周囲が暗いと、目印部が見つけ難く、素早く原稿を位置合わせできないという問題があった。
【０００６】
一方、特許文献２には、位置決め部材に、発光手段を配置する構成が記載されている。画像読取装置では、原稿をガラス板に合わせるときに、基準となる位置が、ガラス板の奥側の隅に合わせる奥側基準、中央に合わせるセンター基準、手前側の隅に合わせる手前基準と、機種によって異なっている。そのため、例えば、奥側基準の装置であるにも拘らず、センター基準や手前基準で原稿を合わせると、原稿の大半を読み取ることができないという不具合を生じる。
【０００７】
従って、特許文献２では、その基準位置を使用者が間違わずに認識できるように、位置決め部材における基準位置の近傍に、発光手段として基準ランプを設けている。具体的には、例えば、奥側基準の画像読取装置では、カバーを開けると、奥側基準位置の近傍の位置決め部材に設けた基準ランプが丸く光る（特許文献２の図２参照）。これにより、使用者は、奥側基準の装置であることを素早く認識して、基準位置を間違わずに原稿をガラス板に載置することができる。
【特許文献１】特開２００４−１４４８３２号公報（図２〜図３参照）
【特許文献２】特開２００２−２１４９７７号公報（図２参照）
【発明の開示】
【発明が解決しようとする課題】
【０００８】
例えば、画像読取装置がセンター基準を採用している場合には、原稿のセンター位置（中心線）を、基準位置に合わせることになるが、原稿の中心線は目視しただけでは正確に把握し難いので、通常は、原稿の１つの側辺を位置決め部材に当接させながら、前記１つの側辺に直交する２つの側辺を、位置決め部材に設けられた目印部に合わせるように構成されている。
【０００９】
前述の特許文献２では、基準ランプを用いているため、周囲の環境が暗くても、センター基準であることを素早く認識することができる。しかしながら、発光しているのは基準ランプだけあって、目印部までは発光していないので、周囲が暗いと、位置合わせを正確に行い難いという問題があった。
【００１０】
また、特許文献２では、発光手段である基準ランプ用に光源が必要であり（特許文献２には光源について具体的に記載されていない）、加えて、仮に目印部も発光させようとすると、光源が多数必要となる。その結果、画像読取装置のコスト上昇の招来や、多数の光源を配置するスペースも必要になるという問題が生じることになる。
【００１１】
本発明は、上記課題を解消するものであって、コストの上昇を抑えながら、原稿載置面の適正な位置に、暗い環境であっても高い精度で原稿を位置合わせすることのできる画像読取装置の実現を目的とするものである。
【課題を解決するための手段】
【００１２】
前記目的を達成するために、請求項１に記載の発明における画像読取装置は、原稿を載置可能な原稿載置部を有する原稿載置台と、前記原稿載置部の表面に載置する原稿を位置決めするための位置決め部材と、前記原稿載置部に載置された原稿を読み取る画像読取手段とを備えた画像読取装置であって、前記位置決め部材は、前記原稿載置部に隣接配置された板状部材であり、前記位置決め部材には、原稿の配置位置を案内する目印部が透光性を有するように設けられ、前記画像読取手段は、原稿に対して光を発光する発光部を有するとともに、前記原稿載置部の裏面及び前記位置決め部材の裏面に沿って移動可能に設けられ、前記画像読取手段が前記目印部の裏面側に位置して発光すると、その光が前記目印部を通して前記位置決め部材の表面側に向けて透過することを特徴とするものである。
【００１３】
請求項２に記載の発明は、請求項１に記載の画像読取装置において、前記原稿載置部の表面を覆うカバー体が開閉可能に設けられ、前記カバー体の開閉を検出する開閉検出手段と、前記画像読取手段の移動及び発光を制御する制御手段と、が備えられ、前記開閉検出手段が、前記カバー体の開放を検出すると、前記制御手段が、前記画像読取手段を前記目印部の裏面側に移動させて目印部用に発光させることを特徴とするものである。
【００１４】
請求項３に記載の発明は、請求項２に記載の画像読取装置において、前記開閉検出手段が、前記カバー体の閉塞を検出すると、前記制御手段が、前記目印部の裏面側の位置における前記画像読取手段の目印部用の発光を停止させることを特徴とするものである。
【００１５】
請求項４に記載の発明は、請求項１から３のいずれかに記載の画像読取装置において、前記原稿載置部は平面視矩形状に形成され、前記画像読取手段は、前記原稿載置部の辺のうちの第１の辺に平行で且つ当該第１の辺と実質上同じ長さを有し、且つ前記第１の辺に直交する方向に移動するように設けられ、前記位置決め部材は前記原稿載置部の少なくとも第１の辺の全長に沿うように長く形成され、前記目印部は、前記位置決め部材の長手方向に沿って複数設けられていることを特徴とするものである。
【００１６】
請求項５に記載の発明は、請求項４に記載の画像読取装置において、前記目印部用の発光は、色の変更あるいは点滅が設定可能に設けられていることを特徴とするものである。
【００１７】
請求項６に記載の発明は、請求項１から５のいずれかに記載の画像読取装置において、前記目印部は、前記位置決め部材の表裏面を貫通するように形成されていることを特徴とするものである。
【００１８】
請求項７に記載の発明は、請求項１から５のいずれかに記載の画像読取装置において、前記目印部は、前記位置決め部材の表裏面を貫通するように形成された貫通部に、透光性の部材を埋設して形成されていることを特徴とするものである。
【００１９】
請求項８に記載の発明は、請求項１から５のいずれかに記載の画像読取装置において、前記目印部は、前記位置決め部材の板厚を薄肉化して形成されていることを特徴とするものである。
【発明の効果】
【００２０】
請求項１に記載の発明によれば、原稿に対して光を発光する発光部を有する画像読取手段が、原稿載置部の裏面及び位置決め部材の裏面に沿って移動可能に設けられるとともに、位置決め部材の目印部が透光性を有するように設けられている。これにより、画像読取手段が目印部の裏面側に位置して発光すると、その光が目印部を通して前記位置決め部材の表面側に向けて透過し、原稿載置部に原稿を載置しようとする使用者には、目印部が光って見える。従って、周囲の環境が明るくても暗くても、目印部を認識しやすく、使用者は原稿載置部の適切な位置に原稿を容易に配置することができる。
【００２１】
また、目印部を光らせる光源に、本来は原稿の読み取りに用いられる画像読取手段を利用している。すなわち、目印部用に更なる光源を付加しているわけではないので、コスト上昇を回避でき、また付加用光源の配置スペースを別途設ける必要もない。
【００２２】
請求項２に記載の発明によれば、開閉検出手段が、カバー体の開放を検出すると、制御手段が、画像読取手段を目印部の裏面側に移動させて目印部用に発光させている。画像読取装置は、原稿の読み取りのために設けられているから、常に目印部の裏面側に位置しているわけではない。そのため、カバー体の開放を、使用者が原稿載置部に原稿を載置する前兆の動作であると判断して、画像読取手段を素早く目印部の裏面側に移動させているから、使用者が原稿を載置するときに、タイミングよく目印部を光らせることができる。
【００２３】
請求項３に記載の発明によれば、使用者がカバー体を閉じる動作は、使用者が原稿載置部への原稿の載置が終了したことを示すと判断できるから、開閉検出手段がカバー体の閉塞を検出すると、画像読取手段の目印部用の発光を停止させている。これにより、必要以上に目印部用の発光を行うことを防止している。
【００２４】
請求項４に記載の発明によれば、位置決め部材は原稿載置部の第１の辺に沿うように設けられ、この位置決め部材の長手方向に沿って目印部は複数設けられている。すなわち、位置決め部材の長手方向に沿って、複数の目印部が点在しているが、画像読取手段は前記第１の辺と実質上同じ長さを有しているから、一つの画像読取手段によって、位置決め部材に設けられた複数の目印部を一斉に光らせることが可能である。
【００２５】
請求項５に記載の発明によれば、目印部用の発光の色の変更あるいは点滅が設定可能であるから、使用者の好みに応じて設定することができる。例えば、画像読取手段にＣＩＳ（Contact Image Sensor）を採用すれば、発光部にＲ（レッド）、Ｇ（グリーン）、Ｂ（ブルー）のＬＥＤ光源を備えているから、容易に発光色や発光時間の調節を行うことができる。
【００２６】
請求項６に記載の発明によれば、目印部が位置決め部材の表裏面を貫通して形成されているから、加工が容易であるうえに、透過率も高いという利点を有する。
【００２７】
請求項７に記載の発明によれば、目印部は位置決め部材に表裏面を貫通して形成された貫通部に透光性の部材を埋設して形成されているから、請求項６に記載の発明に比べて透過性は劣るが、貫通部にゴミ等が入り込み難いという利点を有する。
【００２８】
請求項８に記載の発明によれば、目印部は位置決め部材の板厚を薄肉化して形成されているから、請求項６に記載の発明に比べて透過性は劣るが、貫通部にゴミ等が入り込み難いという利点を有する。
【発明を実施するための最良の形態】
【００２９】
以下に、本発明を具体化した最良の実施形態について説明する。図１は、画像読取装置１の斜視図であるが、この画像読取装置１は、単独のスキャナ装置に適用しても、あるいは、ファクシミリ機能、コピー機能、プリンタ機能、スキャナ機能等の複数の機能を備えた多機能措置の画像読取部に適用してもよい。
【００３０】
画像読取装置１には、図１に示すように、本体ケース２の上側に、原稿を載置する原稿載置台３が設けられ、その下方に、画像読取手段４としてイメージスキャナ装置であるＣＩＳ（Contact Image Sensor）が移動可能に配置されている。
【００３１】
原稿載置台３は、載置用ガラス板５と、載置用ガラス板５の上方に重ねて配置された薄板状の枠体６とを備えている。なお、図１では載置用ガラス板５の下方に配置されている部材も、実線で表示している。ここでは、枠体６は、内周及び外周が平面視長方形状を呈するように複数の板状部材を組み合わせて構成されており、枠体６の内周の内側に平面視長方形状で露出する載置用ガラス板５の部分が、原稿を載置する原稿載置部７となる。原稿載置部７の短辺に平行な方向をＸ軸方向、長辺に平行な方向をＹ軸方向とする。
【００３２】
枠体６のうち、原稿載置部７のＸ軸に平行な一方の短辺（請求項の第１の辺に相当）に隣接する枠は、原稿載置部７に載置する原稿を位置決めするための位置決め部材１０として用いられる。その結果、位置決め部材１０は原稿載置部７に隣接配置されることとなる。枠体６は載置用ガラス板５の上方に重ねて配置されているから、位置決め部材１０は原稿載置部７よりも上方に突出している。位置決め部材１０の原稿載置部７側の側面は、位置合わせ時の原稿Ｐが当接する面（突き当て面）１０ａとなり、原稿ＰのＹ軸方向の位置決めに用いられる。
【００３３】
載置用ガラス板５の下方に配置された画像読取手段４は、Ｘ軸方向に細長く、その長さは原稿載置部７におけるＸ軸方向の読み取り領域に合わせて設定されており、ここでは、原稿載置部７の短辺とほぼ同じ長さ寸法になっている。載置用ガラス板５の下方で、Ｘ軸方向の幅の中心線付近には、Ｙ軸方向に延びる軸部８が設けられており、画像読取手段４は、軸部８に沿って摺動し、Ｙ軸方向に往復移動するように設けられている。画像読取手段４は、原稿Ｐを読み取るために、読み取り領域となる原稿載置部７の裏面に沿って移動することはもちろんのこと、位置決め部材１０の裏面に沿っても移動できるように設けられている。
【００３４】
画像読取手段４は、載置用ガラス板５に載置された原稿に対して光を発光する発光部（図示せず）と、原稿Ｐで反射した光を受光する受光部（図示せず）とを備えている。画像読取手段４の発光（点灯）と移動は、図示しない制御手段によって制御されている。この実施形態では、画像読取手段４にＣＩＳを採用しているから、発光部には、Ｒ（レッド）、Ｇ（グリーン）、Ｂ（ブルー）の３色のＬＥＤの光源を備え、受光部には撮像素子（Ｃ−ＭＯＳセンサ）を備えている。
【００３５】
発光部の発光は、Ｙ軸方向への移動の基準点となる基準位置（ＨＰ、ホームポジション）２０を探すための発光に加え、白基準位置２１における第１の発光、目印位置２３での第２の発光、及び画像を読み取るための読取用の発光がある。
【００３６】
画像読取装置１には、ステップモータ（図示せず）が備えられているため、発光して基準位置２０を検出した後は、そのステップ数を計算することにより画像読取手段４のＹ軸方向の目的とする位置に到達することができるようになっている。この基準位置２０を探すための発光は、第１の発光及び読取用の発光と同様に、ＲＧＢの３色の光源を発光させてもよいが、このうちの１色（例えば、グリーン）を発光させるだけでもよい。第２の発光については、後に詳述する。
【００３７】
読取用の発光は、原稿載置部７上に、記録面を下向きにして静置された原稿Ｐの画像に対して、発光部が、ＲＧＢの光源をそれぞれ高速に切り替えながら行われる。この読取用の発光を行いながら、画像読取手段４がＹ軸方向に移動し、反射した光を受光部で読み取ることで、画像データを作成する。
【００３８】
第１の発光は、白色に対する補正データ（白基準データ）を取得するために行われる。位置決め部材１０の載置用ガラス板５に対向する面である裏面１０ｂには、完全な白色の基準として設けられた白基準テープ１２が、Ｘ軸方向に沿って長く貼着されている（図３参照）。そして、画像読取手段４は、画像の読み取りを行う前に、白基準テープ１２に対応する白基準位置２１で止まって、白基準データを取得するための発光（この発光を、第１の発光と記載する）を行い、白基準テープ１２から反射した光を受光部で読み取る。第１の発光は、白基準データを取得したら終了する。
【００３９】
画像読取手段４は、前述した基準位置２０や、白基準位置２１、目印位置２２を含む複数の位置で停止するように設定されている（図３参照）。基準位置２０を探した後の画像読取手段４は、待機位置２２に移動して次の指令を待機する。
【００４０】
なお、この実施形態では、位置決め部材１１の裏面１０ｂ側の領域に、基準位置２０、待機位置２２、白基準位置２１、目印位置２４を設定したが、これらの位置は、この形態の並び順に限定するものではなく、適宜変更してよい。例えば、基準位置２０と待機位置２２が同一位置に設定される場合もあり、画像読取装置の機種によっても相違する。
【００４１】
画像読取装置１の上部には、原稿載置台３全体を覆う大きさのカバー体９が、後端部（図２の上側）を中心として開閉可能に取り付けられている。このカバー体９の開閉は、図示しない開閉センサ（請求項の開閉検出手段に相当）で検出できるようになっている。開閉センサには、圧力式のセンサが好適であるが、光学式等の他の方式を適用してもよい。
【００４２】
また、画像読取装置１の上面または側面には、図示していないが、画像読取装置１の電源スイッチや、原稿の読み取りを指示するためのスタートキー等の複数のキーが配置されている。なお、画像読取装置１をパーソナルコンピュータ等の外部装置に接続して、外部装置のキー操作で、画像読取装置１に動作を指令するように構成してもよい。
【００４３】
位置決め部材１０には、原稿Ｐの配置位置を案内するための目印部１１が透光性を有するように設けられている。この実施形態では、図４（ａ）に示すように、目印部１１は、位置決め部材１０の表面１１ｃと裏面１１ｂとを貫通するように形成されている。
【００４４】
目印部１１は、原稿ＰのＸ軸方向の位置決めに用いられるもので、原稿ＰのＹ軸方向に平行な２つの側辺の位置を示すための端用目印部１１ａが、２つ１組で設けられている。原稿載置部７に対してサイズの異なる複数の原稿（Ａ４用、Ｂ５用、Ｂ４用、はがき用、レターサイズ用等）を位置合わせできるように、端用目印部１１ａは複数組設けられている。端用目印部１１ａは、平面視でＹ軸方向に長い長方形状を呈するように穿設されている。
【００４５】
また、目印部１１には、原稿Ｐのセンター位置を示すためのセンター用目印部１１ｂも設けられている。センター用目印部１１ｂは、原稿載置部７側を指すように向いた平面視三角形状を呈するように穿設されている。
【００４６】
前述したように目印部１１は位置決め部材１０に穿設されているので、画像読取手段４が目印部１１の裏面側の位置（目印位置２４）に停止して発光すると、目印部１１を通じて位置決め部材１０の表面側に向けて画像読取手段４の光を透過することができる。これにより、使用者が表面側から見たときに目印部１１が発光しているように見えるのである。この目印位置２４で画像読取手段４が行う、目印部１１を光らせるための発光を第２の発光（請求項の目印部用の発光に相当）と記載する。
【００４７】
この実施形態では、画像読取手段４にＣＩＳを採用しているため、発光部は、Ｒ、Ｇ、Ｂの３色のＬＥＤの光源を備えている。従って、第２の発光は、白色だけでなく、赤色（レッド）、緑色（グリーン）、青色（ブルー）や、これら３色を任意に組み合わせたカラー色等にも設定することが可能である。また、連続して発光させるだけでなく、点滅発光や、異なる色を切り替えながら発光させることも可能である。従って、画像読取手段４にＣＩＳを採用している場合には、第２の発光を、使用者の好みに応じて自由に設定できるようにしてもよい。なお、画像読取手段４にＣＣＤ（Charge Coupled Devices）を採用している場合には、発光部の光源は白色のみであるから、第２の発光に色を自由に設定することはできない。
【００４８】
第２の発光は、原稿Ｐを原稿載置部７に位置合わせする際に用いるものであるから、カバー体９の閉塞を開閉検知手段で検知すると、第２の発光は終了する。
【００４９】
目印部１１として設けられた端用目印部１１ａ及びセンター用目印部１１ｂは、位置決め部材１１の長手方向に沿って点在しているが、原稿Ｐの位置決めに用いるものであるから、通常は、原稿の読み取り領域におけるＸ軸方向の長さと同じ寸法の範囲内に存在している。換言すれば、目印部１１のすべては、画像読取手段４のＸ軸方向の長さと同じ長さ寸法の範囲内に存在している。従って、画像読取手段４が目印位置２４にて発光すると、目印部１１のすべてを同時に光らせることができるのである。すなわち、目印部１１毎に光源を設ける必要はなく、共通の光源である画像読取手段４を発光させるだけでよいのである。
【００５０】
また、個々の端用目印部１１ａが、どのサイズの原稿の位置を示すものであるから明記するために、位置決め部材１０に「Ａ４」「はがき」等の文字の形状も穿設し、光らせるようにしてもよい。もちろん、これらの文字は、位置決め部材１０の表面１０ｃに、印刷または刻印するだけでもよい。
【００５１】
なお、透光性を有する目印部１１は、位置決め部材１０の板厚を貫通形成するだけでなく、例えば、図４（ｂ）に示すように、位置決め部材１０に貫通形成した貫通部１３に、透光性の部材１４（透光性を有する樹脂材料等）を埋設してもよい。また、図４（ｃ）に示すように、位置決め部材１０における目印部１１の部分のみ、裏面１０ｂ側から凹部１５を形成したり、あるいは図４（ｄ）に示すように、表面１０ｃ側から凹部１６を形成したりして、板厚を薄肉化してもよい。図４（ｂ）や図４（ｃ）の場合には、目印部１１にゴミ等の異物が入りこむことが防止できる利点がある。
【００５２】
このように構成された画像読取装置１の動作を、図５のフローチャートを用いて説明する。まず、画像読取装置１に電源が入れられると、画像読取手段４の発光部が発光し（Ｓ１０１）、基準位置２０を探し（Ｓ１０２）、消灯する（Ｓ１０３）。そして、画像読取手段４は、消灯した状態のまま待機位置２２へ移動し、そこで動作の指令を待機する（Ｓ１０４）。
【００５３】
使用者によってカバー体９が開放され、これを開閉検出手段で検出すると（Ｓ１０５でＹｅｓ）、これから、使用者が画像の読み取りを行おうとする前兆の動作であると判断して、画像読取手段４は、白基準位置２１に移動する（Ｓ１０６）。白基準位置２１では、画像読取手段４が第１の発光を行って白基準データを取得する（Ｓ１０７）。データの取得後は、第１の発光を終了する（Ｓ１０８）。
【００５４】
白基準データ取得後は、消灯した状態のまま画像読取手段４が目印位置２４に移動して（Ｓ１０９）、第２の発光を行う（Ｓ１１０）。これにより、位置決め部材１０に設けられた端用目印部１１ａ及びセンター用目印部１ｂが一斉に光って見える。そのため、使用者が原稿Ｐを原稿載置部７に置くときに、周囲が明るくても暗くても、原稿Ｐの適正な載置位置を容易に把握することができる。
【００５５】
原稿載置部７への原稿Ｐの載置が完了し、カバー体９が閉塞されたことを、開閉検出手段で検出すると（Ｓ１１１でＹｅｓ）、画像読取手段４は、第２の発光を終了し（Ｓ１１２）、消灯した状態のまま読取開始位置２３に移動する（Ｓ１１３）。そして、画像読取のスタートキーが押下されると（Ｓ１１４でＹｅｓ）、画像読取手段４が読取用の発光を行い（Ｓ１１５）、原稿の読み取りを開始する（Ｓ１１６）。画像読取手段４はＹ軸方向に沿って読み取り領域の終端まで移動し、読み取りが終了する（Ｓ１１７）。読取終了後が、発光した状態のまま再び基準位置２０を探し（Ｓ１０２）、基準位置２０をリセットする。このように、読取後に基準位置２０をリセットすることにより、基準位置２０がずれることを防止している。
【００５６】
一方、明るく光る目印部１１に案内されて、原稿Ｐを原稿載置部７にセットした後に、場合によっては、カバー体９を閉じないままで、原稿の読み取りを行うことがある。すなわち、カバー体９が閉塞されずに（Ｓ１１１でＮｏ）、スタートキーが押下された場合（Ｓ１１８でＹｅｓ）には、カバー体が開いた状態のまま、画像読取手段４が読取開始位置２３に移動して（Ｓ１１９）、前述と同様に、読取用の発光を行い（Ｓ１１５）、原稿の読み取りを行う（Ｓ１１６）。
【００５７】
また、原稿Ｐが原稿載置部７に載置されて、カバー体９が閉塞されていても（Ｓ１１１でＹｅｓ）、なかなかスタートキーが押下されない場合（Ｓ１１４でＮｏ）がある。例えば、原稿Ｐを原稿載置部７にセットしてカバー体を閉めたままで使用者がその場を離れ、原稿Ｐが放置された場合等である。このようなときには、あらかじめ設定した所定時間Ｔを経過した場合（Ｓ１２０でＹｅｓ）に、画像読取手段４は、発光部を発光させて（Ｓ１２１）、基準位置２０を探し（Ｓ１０２）、消灯した（Ｓ１０３）後に、待機位置２２に移動して待機する（Ｓ１０４）ようにしている。
【００５８】
また、原稿のセットの有無に拘らず、カバー体９を開けずに（Ｓ１０５でＮｏ）、スタートキーを押下する場合（Ｓ１２２でＹｅｓ）がある。例えば、前述したように、原稿をセットしたまま所定時間Ｔ以上の長時間が経過したために、画像読取手段４が待機位置２２に移動した後で、使用者が戻ってスタートキーを押す場合等である。この場合には、白基準データを新たに取るために、画像読取手段４は、白基準位置２１に移動し（Ｓ１２３）、第１の発光を行って白基準データを取得して（Ｓ１２４）、第１の発光を終了する（Ｓ１２５）。そして、画像読取手段４は、読取開始位置２３に移動し（Ｓ１２６）、前述と同様に、読取用の発光を行い（Ｓ１１５）、原稿の読み取りを行う（Ｓ１１６）。
【００５９】
このように、本実施形態では、使用者が原稿載置部７に原稿Ｐをセットするときに、目印部１１を光らせるようにしているから、周囲の環境が明るくても暗くても、使用者は素早く原稿の適正な配置位置を見つけることができる。
【００６０】
また、この画像読取手段４は、本来は画像の読み取りに使用するものであるから、目印部１１の光源として別途光源を用意する必要がなく、低コスト化、省スペース化を図ることができる。
【００６１】
また、位置決め部材１０に複数（多数）目印部１１を設けていても、画像読取手段４は、目印部が点在する長手方向の寸法と略同じ寸法を有しているから、複数（多数）目印部１１を一つの画像読取手段４で一斉に光らせることができる。
【００６２】
さらに、本実施形態では、カバー体が開放されたことを検出して画像読取手段４を目印位置２４に移動させ、目印部１１を光らせるようにしている。本来は、画像読取手段４は、画像の読み取りに使用されるため、必ずしも常態では、目印位置２４に待機しているわけではない。しかしながら、使用者がカバー体９を開放する動作を、使用者が原稿Ｐをセットする前兆の動作として認識することで、素早く目印位置２４に移動し、原稿をセットするときに、タイミング良く目印部１１を光らせることができるのである。
【００６３】
なお、図５に示したフローチャートは、趣旨を逸脱しない範囲で適宜変更することができる。例えば、白基準データを取得するための一連の動作は、図５に示したフローチャートとは異なるタイミングで実行してもよい。図６及び図７は、フローチャートの変形例を示したものである。なお、図５と同じ動作には、同一符号を付し、詳細な説明を省略する。
【００６４】
図６のフローチャートでは、カバー体９が開放された後（Ｓ１０５でＹｅｓ）に、待機位置２２にある画像読取手段４を直ちに目印位置２４に移動させ（Ｓ２０９）、第２の発光を目印部１１に向かって行い（Ｓ２１０）、目印部１１を光らせている。そして、カバー体９が閉塞され（Ｓ１１１でＹｅｓ）、第２の発光を終了した（Ｓ１１２）後に、画像読取手段４を白基準位置２１に移動させ（Ｓ２０６）、第１の発光を行い、白基準データを取得するようにし（Ｓ２０７）、第１の発光を終了する（Ｓ２０８）ようにしている。
【００６５】
これにより、図５に示すフローチャートに比べて、カバー体９が開放されてから、目印部１１が光るまでの時間を短縮することができ、使用者の利便性が向上される。
【００６６】
図７のフローチャートは、図６のフローチャートをさらに変形したものであり、白基準データの作成をスタートキーが押された後に行うようにしている。すなわち、スタートキーが押下されると（Ｓ１１４でＹｅｓ、またはＳ１１８でＹｓｓ、またはＳ１２２でＹｅｓ）、画像読取手段４を白基準位置２１に移動させ（Ｓ３０６）、第１の発光を行って白基準データを取得するようにし（Ｓ３０７）、第１の発光を終了する（Ｓ３０８）ようにしている。その後、直ちに、読取開始位置２３に移動し（Ｓ３１３）、画像の読取を行う。
【００６７】
この場合には、カバー体９が開いた状態でスタートキーが押下された場合（Ｓ１１８でＹｅｓ）を除き、白基準データの取得を、カバー体９を閉じた状態で行うことができる。このように構成すると、白基準データの取得時に外光の影響を受けないから、白基準データを高い精度で取得できるという利点を有している。
【００６８】
なお、図５〜図７のフローチャートでは、画像読取手段４であるＣＩＳが、基準位置２０を探すための発光、第１の発光、第２の発光、及び読取用の発光のときの他には、消灯しているものとして説明した。しかしながら、画像読取装置１の電源が入っているときには、常にＣＩＳは発光し、状況に応じて、基準位置を探すための発光、第１の発光、第２の発光、及び読取用の発光に切り替えられように構成してもよい。画像読取手段４がＣＣＤの場合には、消費電力やＣＣＤの耐久性（寿命）の観点から、常に発光するように構成しておくことが望ましい。
【００６９】
また、本発明は、図示したようなフラットベッドタイプの画像読取装置１の形態だけでなく、フラットベッドタイプの画像読取装置にＡＤＦ（自動給紙装置）を付加した形態に適用してもよい。
【図面の簡単な説明】
【００７０】
【図１】本発明を適用した画像読取装置のカバー体を開放した状態の斜視図である。
【図２】カバー体を取り除いた状態の平面図である。
【図３】図２のＩＩＩ−ＩＩＩ線矢視断面図である。
【図４】（ａ）は目印部の側断面図、（ｂ）乃至（ｄ）は目印部の変形例の側断面図である。
【図５】画像読取における画像読取手段の動作を示すフローチャートである。
【図６】画像読取における画像読取手段の動作を示すフローチャートの変形例である。
【図７】画像読取における画像読取手段の動作を示すフローチャートの他の変形例である。
【符号の説明】
【００７１】
１        画像読取装置  
３        原稿載置台
４        画像読取手段
５        載置用ガラス板
７        原稿載置部
９        カバー体
１０      位置決め部材
１１      目印部
１２      白基準テープ
２１      白基準位置
２２      待機位置
２３      読取開始位置
２４      目印位置
Ｐ        原稿 
【図１】
2008158431.tif 000003
【図２】
2008158431.tif 000004
【図３】
2008158431.tif 000005
【図４】
2008158431.tif 000006
【図５】
2008158431.tif 000007
【図６】
2008158431.tif 000008
【図７】
2008158431.tif 000009